(57)【特許請求の範囲】
【請求項１】
互いに平行に配置されるクランク軸（１３），変速入力軸（２０）及び変速出力軸（２１）と，変速入力軸（２０）の一端部に装着されるクラッチ（２７）と，クランク軸（１３）の回転を減速してクラッチ（２７）に伝達する１次減速装置（２６）とを備えるエンジンのケーシングであって，クランク軸（１３），変速入力軸（２０）及び変速出力軸（２１）を支承するクランクケース（４）と，このクランクケース（４）の一側端に内端が接合されて１次減速装置（２６）を覆うクランクケースサイドカバー（６）と，このクランクケースサイドカバー（６）の外端に接合されて，クラッチ（２７）を収容するクラッチ室（５０）を該サイドカバー（６）と共に画成するクラッチカバー（８）とからなるものにおいて，
クランクケースサイドカバー（６）のクラッチ（２７）を囲むクラッチ囲繞部（６ａ）とクランクケース（４）との接合面（６ｆ，４ｆ）の内径（ｄ）を，クラッチ（２７）におけるクラッチアウタ（３７）の外径（Ｄ）より小さく設定したことを特徴とする，エンジンのケーシング。
【請求項２】
請求項１記載のエンジンのケーシングにおいて，
クラッチアウタ（３７）の内端壁に連結されてクランクケースサイドカバー（６）内に突入する，クラッチアウタ（３７）より小径の被動ギヤ（３４）と，クランク軸（１３）により駆動されて被動ギヤ（３４）に噛合する駆動側ギヤ（３３ｂ）とで１次減速装置（２６）を構成し，これら駆動側ギヤ（３３ｂ）及び被動ギヤ（３４）の噛合部をクランクケースサイドカバー（６）内に配置したことを特徴とする，エンジンのケーシング。
【発明の詳細な説明】
【０００１】
【発明の属する技術分野】
本発明は，互いに平行に配置されるクランク軸，変速入力軸及び変速出力軸と，変速入力軸の一端部に装着されるクラッチと，クランク軸の回転を減速してクラッチに伝達する１次減速装置とを備えるエンジンのケーシングであって，クランク軸，変速入力軸及び変速出力軸を支承するクランクケースと，このクランクケースの一側端に内端が接合されて１次減速装置を覆うクランクケースサイドカバーと，このクランクケースサイドカバーの外端に接合されて，クラッチを収容するクラッチ室を該サイドカバーと共に画成するクラッチカバーとからなるものに関する。
【０００２】
【従来の技術】
かゝるエンジンのケーシングは，例えば特開平６−４８３４６号公報に開示されているように，既に知られている。
【０００３】
【発明が解決しようとする課題】
従来，かゝるエンジンのケーシングでは，クランクケースサイドカバーの内壁をクランクケースに向かって拡張させているため，クランクケースサイドカバーの大型化による重量増加を招き，またクランクケースとクランクケースサイドカバーとの接合面の，クラッチを囲繞する側の内径がクラッチの外径より大きくなって，その接合面積の増加を余儀なくされる。
【０００４】
本発明は，かゝる事情に鑑みてなされたもので，クランクケースサイドカバーの軽量化を図るべく，その小型化を可能すると共に，クランクケースとクランクケースサイドカバーとの接合面のシール性を良好にすべく，その接合面積の減少を可能にする，前記エンジンのケーシングを提供することを目的とする。
【０００５】
【課題を解決するための手段】
上記目的を達成するために，本発明は，互いに平行に配置されるクランク軸，変速入力軸及び変速出力軸と，変速入力軸の一端部に装着されるクラッチと，クランク軸の回転を減速してクラッチに伝達する１次減速装置とを備えるエンジンのケーシングであって，クランク軸，変速入力軸及び変速出力軸を支承するクランクケースと，このクランクケースの一側端に内端が接合されて１次減速装置を覆うクランクケースサイドカバーと，このクランクケースサイドカバーの外端に接合されて，クラッチを収容するクラッチ室を該サイドカバーと共に画成するクラッチカバーとからなるものにおいて，クランクケースサイドカバーのクラッチを囲むクラッチ囲繞部とクランクケースとの接合面の内径を，クラッチにおけるクラッチアウタの外径より小さく設定したことを第１の特徴とする。
【０００６】
尚，前記クランクケースサイドカバー及び駆動側ギヤは，後述する本発明の実施例中の右クランクケースサイドカバー６及び第２アイドルギヤ３３ｂにそれぞれ対応する。
【０００７】
この第１の特徴によれば，クラッチアウタの外径が大きい大容量のクラッチのクラッチ室への収容を可能にしながら，クランクケースサイドカバー内部のデッドスペースを小さくすると共に，無駄肉を無くして，クランクケースサイドカバーのコンパクト化及び軽量化を図ることができる。しかもクランクケースサイドカバーのクラッチ囲繞部とクランクケースとの接合面の内径をクラッチアウタの外径より小さく設定したことで，上記接合面の面積を減少させて，接合面のシール性の向上を図ることができる。
【０００８】
また本発明は，第１の特徴に加えて，クラッチアウタの内端壁に連結されてクランクケースサイドカバー内に突入する，クラッチアウタより小径の被動ギヤと，クランク軸により駆動されて被動ギヤに噛合する駆動側ギヤとで１次減速装置を構成し，これら駆動側ギヤ及び被動ギヤの噛合部をクランクケースサイドカバー内に配置したことを第２の特徴とする。
【０００９】
この第２の特徴によれば，クランクケースサイドカバーのクラッチ囲繞部を，クラッチアウタの内端壁及び被動ギヤの形状に合わせることができて，クランクケースサイドカバーのコンパクト化及び軽量化を一層図ることができる。
【００１０】
また１次減速装置のクランクケースからのオーバハング量を極力少なくして，クランク軸，変速入力軸及びそれらの軸受の耐久性向上に寄与し得る。
【００１１】
さらにクランクケースサイドカバーの１次減速装置を覆うカバー部の，クランクケース側端からの突出量を極力少なくして，クランクケースサイドカバーの更なるコンパクト化及び軽量化を図ることができる。
【００１２】
【発明の実施の形態】
本発明の実施の形態を，添付図面に示す本発明の一実施例に基づいて説明する。
【００１３】
図１は本発明のケーシングを備えた自動二輪車用エンジンの側面図，図２は図１の２−２線断面図，図３は図１の３−３線断面図である。
【００１４】
先ず，図１において，自動二輪車の車体フレーム１に搭載されてエンジンＥは，本発明のケーシング１の前部上面から前部バンク２ｆ及び後部バンク２ｒをＶ字状に突出させたＶ型に構成される。
【００１５】
図１及び図２において，上記ケーシング１は，両バンク２ｆ，２ｒのシリンダブロック３，３に連なる共通のクランクケース４と，このクランクケース４の右側端に多数のボルト５，５…により接合される右クランクケースサイドカバー６と，この右クランクケースサイドカバー６の外端に多数のボルト７，７…により接合されるクラッチカバー８と，クランクケース４の左側端に多数のボルト１１，１１…により接合される左クランクケースサイドカバー１０とを備える。
【００１６】
尚，上記各部の接合面間にはガスケット等のシール部材が介装される。
【００１７】
クランクケース４は，左右のクランクケース半体４ａ，４ｂを多数のボルト５，５…により結合して構成され，両クランクケース半体４ａ，４ｂの側壁にクランク軸１３の両端部がプレーンベアリング１４，１４′を介して支承される。このクランク軸１３は，両バンク２ｆ，２ｒ内のピストン１５，１５にコンロッド１６，１６を介して連接される。また両クランクケース半体４ａ，４ｂには，クランク軸１３と平行に配置される変速入力軸２０及び変速出力軸２１の各両端部がそれぞれボール又はニードルベアリング２２，２２′；２３，２３′を介して支承され，これら変速入，出力軸２０，２１間に多段の変速ギヤ列２４1 〜２４5 （図３参照）が設けられる。
【００１８】
図２及び図３に示すように，クランク軸１３及び変速入力軸２０の各右端部は右クランクケースサイドカバー６側に突出しており，これらクランク軸１３及び変速入力軸２０の右端部間は，トルクダンパ２５，１次減速装置２６及びクラッチ２７を介して連結される。また変速出力軸２１の左端部は左クランクケースサイドカバー１０側に突出しており，これに一対のベベルギヤ２９，２９′を介して連結されて出力端を自動二輪車の後方に向ける駆動軸２８が左クランクケースサイドカバー１０に支承される。
【００１９】
図２に示すように，クランク軸１３の右端部には，クランクケース４側から，前部バンク２ｆの動弁用調時伝動装置３０の駆動スプロケット３１，１次減速装置２６の駆動ギヤ３２及びトルクダンパ２５が順次設けられ，そのトルクダンパ２５は，クランク軸１３及び駆動ギヤ３２間の回転トルクの急激な変動を吸収する。
【００２０】
１次減速装置２６は，前記駆動ギヤ３２と，クランクケース４に回転自在に支承されるアイドル軸３５にスプライン結合されて駆動ギヤ３２に噛合する第１アイドルギヤ３３ａと，この第１アイドルギヤ３３ａの外側に隣接してアイドル軸３５にスプライン結合される，第１アイドルギヤ３３ａより小径の第２アイドルギヤ３３ｂと，変速入力軸２０にニードルベアリング３６を介し回転自在に支承されて第２アイドルギヤ３３ｂに噛合する被動ギヤ３４とからなっており，その被動ギヤ３４は，クラッチ２７における有底円筒状のクラッチアウタ３７の内端壁に固着される。したがって，１次減速装置２６は，クランク軸１３からトルクダンパ２５に伝達される回転を減速してクラッチ２７に伝達することができる。
【００２１】
図３において，クラッチ２７は，前記有底円筒状のクラッチアウタ３７と，このクラッチアウタ３７内の中心部に配置されて変速入力軸２０に固着されるクラッチインナ３８と，クラッチアウタ３７の内周壁に軸方向摺動可能にスプライン嵌合される複数の駆動摩擦板３９，３９…と，これら駆動摩擦板３９，３９…と交互に重ねられてクラッチインナ３８の外周に摺動可能にスプライン嵌合される複数枚の被動摩擦板４０，４０…と，クラッチインナ３８の内端に一体に形成されて，最内側の駆動摩擦板３９を受け止め得る受圧板４１と，クラッチインナ３８の外端に摺動可能に取り付けられて最外側の駆動摩擦板３９を押圧し得る加圧板４２と，この加圧板４２を受圧板４１に向けて付勢するクラッチばね４３とから構成される。
【００２２】
而して，駆動及び被動摩擦板３９，４０群は，クラッチばね４３の付勢力をもって加圧板４２及び受圧板４１間で挟圧されると，クラッチアウタ３７及びクラッチインナ３８を相互に摩擦連結するクラッチオン状態となる。
【００２３】
したがって，クラッチ２７のクラッチオン状態では，クランク軸１３の発生動力は，トルクダンパ２５，１次減速装置２６及びクラッチ２７を経て変速入力軸２０に伝達され，更に変速ギヤ列２４1 〜２４5 の選択された何れかを介して変速出力軸２１へと伝達され，更にベベルギヤ２９，２９′を介して駆動軸２８に，そして図示しないプロペラ軸を介して自動二輪車の後輪に伝達され，それを駆動する。
【００２４】
クラッチインナ３８の中心部には，レリーズベアリング４５を介してレリーズ部材４６が設けられており，このレリーズ部材４６に，変速入力軸２０の中空部を貫通するプッシュロッド４７の内端が連接される。このプッシュロッド４７の外端には，カム機構４８を介して自動二輪車のクラッチレバー（図示せず）が連接される。
【００２５】
而して，クラッチレバーを操作してプッシュロッド４７を押圧し，加圧板４２をクラッチばね４３の付勢力に抗して後退させると，各摩擦板３９，４０が自由になってクラッチアウタ３７及びクラッチインナ３８間を非連結とするクラッチオフ状態となる。
【００２６】
図３に明示するように，前記１次減速装置２６の被動ギヤ３４は，クラッチアウタ３７の内端壁にリベット４９で固着される。この被動ギヤ３４の外径は，前記第２アイドルギヤ３３ｂの外径より大きく設定され，クラッチアウタ３７の外径は，その被動ギヤ３４の外径よりも更に大きい。被動ギヤ３４の歯幅Ａは，第２アイドルギヤ３３ｂの歯幅Ｂより大きく設定される。
【００２７】
前記右クランクケースサイドカバー６は，前記クラッチアウタ３７を囲む円筒状のクラッチ囲繞部６ａと，このクラッチ囲繞部６ａの一側部から前方に張り出してトルクダンパ２５及び１次減速装置２６を覆うカバー部６ｂとからなっており，そのクラッチ囲繞部６ａと，それの外端に接合される円形のクラッチカバー８とで，クラッチ２７を収容するクラッチ室５０が画成される。その際，右クランクケースサイドカバー６及びクラッチカバー８の接合面は，クラッチアウタ３７の軸方向中間部に配置される。
【００２８】
また右クランクケースサイドカバー６のクラッチ囲繞部６ａの内端部６ａ1 は，被動ギヤ３４の外周に近接しつゝクラッチアウタ３７の内端壁に対向するように絞られ，こうすることにより，クラッチ囲繞部６ａ及び右クランクケースサイドカバー６の接合面６ｆ，４ｆの内径ｄはクラッチアウタ３７の外径Ｄよりも小さく設定される。
【００２９】
前記被動ギヤ３４は，右クランクケースサイドカバー６側に突入して配置されるに足る歯幅を持っており，その右クランクケースサイドカバー６内に突入した部分で前記第２アイドルギヤ３３ｂと噛合する。
【００３０】
而して，ボルト９，９…を外して，クラッチカバー８を右クランクケースサイドカバー６から分離すれば，クラッチ２７が右クランクケースサイドカバー６のクラッチ囲繞部６ａから露出することになるので，クラッチ２７の変速入力軸２０に対する脱着や，クラッチ２７の分解を行うことができ，メンテナンス性が良好である。
【００３１】
またクラッチ２７を変速入力軸２０から取り外した後，ボルト７，７…を外して右クランクケースサイドカバー６をクランクケース４から分離すれば，トルクダンパ２５及び１次減速装置２６が露出状態となるので，それのメンテナンスも容易に行うことができる。
【００３２】
ところで，右クランクケースサイドカバー６のクラッチ囲繞部６ａは，その内端部６ａ1 がクラッチアウタ３７の内端壁及び被動ギヤ３４の形状に合わせて絞られた形状となっているから，クラッチアウタ３７の外径が大きい大容量のクラッチ２７のクラッチ室５０への収容を可能にしながら，右クランクケースサイドカバー６内部のデッドスペースを小さくすると共に，無駄肉を無くして，右クランクケースサイドカバー６のコンパクト化及び軽量化を図ることができる。
【００３３】
また右クランクケースサイドカバー６のクラッチ囲繞部６ａとクランクケース４との接合面６ｆ，４ｆの内径ｄがクラッチアウタ３７の外径Ｄより小さく設定されるので，上記接合面６ｆ，４ｆの面積を減少させて接合面６ｆ，４ｆのシール性の向上を図り，同時にクラッチケース４及び右クランクケースサイドカバー６を相互に結合するボルト７，７…の使用本数を減少させることができる。
【００３４】
また１次減速装置２６は，クラッチアウタ３７に固着された被動ギヤ３４の，右クランクケースサイドカバー６の内に突入した部分に，第１及び第２アイドルギヤ３３ａ，３３ｂを介して駆動ギヤ３２が噛合して構成されるので，１次減速装置２６のクランクケース４からのオーバハング量を極力少なくして，クランク軸１３，変速入力軸２０及びそれらの軸受の耐久性の向上を図ることができる。
【００３５】
しかも被動ギヤ３４の，右クランクケースサイドカバー６の内に突入した部分に，第１及び第２アイドルギヤ３３ａ，３３ｂを介して駆動ギヤ３２を噛合させた上で，これらを覆うカバー部６ｂを右クランクケースサイドカバー６に一体に形成したので，該カバー部６ｂの，クランクケース４側端からの突出量を極力少なくして，右クランクケースサイドカバー６のコンパクト化及び軽量化を図ることができる。
【００３６】
本発明は，上記実施例に限定されるものではなく，その要旨の範囲を逸脱することなく種々の設計変更が可能である。例えば直立の単一バンクしか持たないエンジンに本発明を適用することもできる。
【００３７】
【発明の効果】
以上のように本発明の第１の特徴によれば，互いに平行に配置されるクランク軸，変速入力軸及び変速出力軸と，変速入力軸の一端部に装着されるクラッチと，クランク軸の回転を減速してクラッチに伝達する１次減速装置とを備えるエンジンのケーシングであって，クランク軸，変速入力軸及び変速出力軸を支承するクランクケースと，このクランクケースの一側端に内端が接合されて１次減速装置を覆うクランクケースサイドカバーと，このクランクケースサイドカバーの外端に接合されて，クラッチを収容するクラッチ室を該サイドカバーと共に画成するクラッチカバーとからなるものにおいて，クランクケースサイドカバーのクラッチを囲むクラッチ囲繞部とクランクケースとの接合面の内径を，クラッチにおけるクラッチアウタの外径より小さく設定したので，クラッチアウタの外径が大きい大容量のクラッチのクラッチ室への収容を可能にしながら，クランクケースサイドカバー内部のデッドスペースを小さくすると共に，無駄肉を無くして，クランクケースサイドカバーのコンパクト化及び軽量化を図ることができる。しかもクランクケースサイドカバーのクラッチ囲繞部とクランクケースとの接合面の内径をクラッチアウタの外径より小さく設定したことで，上記接合面の面積を減少させて，接合面のシール性の向上を図ることができる。
【００３８】
また本発明の第２の特徴によれば，第１の特徴に加えて，クラッチアウタの内端壁に連結されてクランクケースサイドカバー内に突入する，クラッチアウタより小径の被動ギヤと，クランク軸により駆動されて被動ギヤに噛合する駆動側ギヤとで１次減速装置を構成し，これら駆動側ギヤ及び被動ギヤの噛合部をクランクケースサイドカバー内に配置したので，クランクケースサイドカバーのクラッチ囲繞部を，クラッチアウタの内端壁及び被動ギヤの形状に合わせることができて，クランクケースサイドカバーのコンパクト化及び軽量化を一層図ることができ，１次減速装置のクランクケースからのオーバハング量を極力少なくして，クランク軸，変速入力軸及びそれらの軸受の耐久性向上に寄与することができ，さらにクランクケースサイドカバーの１次減速装置を覆うカバー部の，クランクケース側端からの突出量を極力少なくして，クランクケースサイドカバーの更なるコンパクト化及び軽量化を図ることができる。
【図面の簡単な説明】
【図１】本発明のケーシングを備えた自動二輪車用エンジンの側面図
【図２】図１の２−２線断面図
【図３】図１の３−３線断面図
【符号の説明】
Ｅ・・・・・エンジン
ｄ・・・・・接合面４ｆ，６ｆの内径
Ｄ・・・・・クラッチアウタ３７の外径
１・・・・・ケーシング
４・・・・・クランクケース
６・・・・・クランクケースサイドカバー（右クランクケースサイドカバー）
４ｆ，６ｆ・・・接合面
８・・・・・クラッチカバー
１３・・・・クランク軸
２０・・・・変速入力軸
２１・・・・変速出力軸
２６・・・・１次減速装置
２７・・・・クラッチ
３３ｂ・・・駆動側ギヤ（第２アイドルギヤ）
３４・・・・被動ギヤ
３７・・・・クラッチアウタ
５０・・・・クラッチ室
【図１】
0003943972.tif 000002
【図２】
0003943972.tif 000003
【図３】
0003943972.tif 000004